(57)【要約】【課題】照明器具をリニューアルする際の作業時間を短縮させた照明器具及び照明器具のリニューアル方法を提供する。【解決手段】器具本体１と、反射板２と、ソケット３と、電源ユニット６と、端子台７とを備えた照明器具１０において、蛍光ランプとは異なる第２光源と、外部電力を第２光源の点灯電力に変換する第２電源部とを具備する光源ユニット４に置き換えるための照明器具のリニューアル方法である。この照明器具のリニューアル方法は、ソケット３から第１光源を取り外す工程と、端子台７から電源ケーブルを取り外す工程と、端子台７から取り外した電源ケーブルを光源ユニット４に接続する工程とを有する。【選択図】図１
2015230806.tif 000002
【特許請求の範囲】
【請求項１】
外部からの電源ケーブルが接続される端子台と、
前記端子台を介して入力される外部電力を第１光源の点灯電力に変換する第１電源部と、
前記第１光源が電気的且つ機械的に接続され、前記第１電源部から出力される前記点灯電力を前記第１光源に供給するソケットと、
少なくとも前記端子台、前記第１電源部及び前記ソケットが取り付けられる器具本体と、
前記ソケットが通される貫通孔を有し、前記貫通孔に前記ソケットを通した状態で前記器具本体に取り付けられる反射板とを備えた照明器具において、
前記第１光源とは異なる第２光源と、前記外部電力を前記第２光源の点灯電力に変換する第２電源部とを具備する光源ユニットに置き換えるための照明器具のリニューアル方法であって、
前記ソケットから前記第１光源を取り外す工程と、
前記端子台から前記電源ケーブルを取り外す工程と、
前記端子台から取り外した前記電源ケーブルを前記光源ユニットに接続する工程とを有していることを特徴とする照明器具のリニューアル方法。
【請求項２】
請求項１記載の照明器具のリニューアル方法によって前記第１光源が前記第２光源に置き換えられる照明器具であって、
前記反射板に取り付けられた状態で前記光源ユニットを支持する支持部材を備えていることを特徴とする照明器具。
【請求項３】
前記支持部材は、弾性材料からなり、前記反射板に取り付けられる矩形板状の取付部と、前記取付部の両端から前記取付部と交差する方向に突出する一対の支持部とでＵ字状に形成され、
前記一対の支持部の各々は、前記取付部に近づくほど互いの間隔が狭くなるように傾斜する引掛部を有し、
前記光源ユニットは、前記一対の支持部の各々と対向する一対の側壁部を有し、
前記一対の側壁部の各々には、対向する前記支持部に設けられた前記引掛部の傾斜方向と同じ方向に傾斜し、且つ前記光源ユニットを前記支持部材に取り付けた状態で前記引掛部が差し込まれる差込部が、前記支持部の突出方向に沿って複数設けられていることを特徴とする請求項２記載の照明器具。
【請求項４】
前記支持部材は、両端が開口する円筒状に形成された配管部と、前記配管部の軸方向における一端側に取り付けられた第１締結部と、前記配管部の軸方向における他端側において前記配管部の軸方向に沿って移動自在に配置される第２締結部とを備え、
前記支持部材は、前記反射板の前記貫通孔に前記配管部を通した状態で前記第１締結部と前記第２締結部により前記反射板を挟み込むことで前記反射板に取り付けられ、
前記光源ユニットは、前記第２締結部の外周面に形成された溝部に前記光源ユニットの一部を差し込むことで前記支持部材に支持され、
前記端子台から取り外した前記電源ケーブルは、前記配管部の内部を通して前記光源ユニットに接続されることを特徴とする請求項２記載の照明器具。
【発明の詳細な説明】
【技術分野】
【０００１】
本発明は、一般に照明器具及び照明器具のリニューアル方法に関し、より詳細には光源を置き換え可能な照明器具及び照明器具のリニューアル方法に関する。
【背景技術】
【０００２】
従来、既設の照明装置に取り付けられた直管形の蛍光ランプを、ＬＥＤや有機ＥＬ等の新たな光源に置き換えるための照明装置のリニューアル方法が提供されている（例えば特許文献１参照）。特許文献１に記載された照明装置のリニューアル方法では、以下の手順により照明装置がリニューアルされる。
【０００３】
まず最初に、作業者は、天井から器具本体を取り外した後、器具本体からランプソケット及び安定器を取り外す。次に、作業者は、新たな光源用の電源ユニットを器具本体に取り付けた後、器具本体を天井に取り付ける。さらに、作業者は、新たな光源であるＬＥＤユニットを反射板に取り付けた後、反射板に設けたランプソケット用の貫通孔にＬＥＤユニットからの電線を通し、この電線を電源ユニットからの電線に接続する。そして最後に、作業者は、天井に取り付けられた器具本体に反射板を取り付ける。
【先行技術文献】
【特許文献】
【０００４】
【特許文献１】特開２０１２−１０４３２４号公報
【発明の概要】
【発明が解決しようとする課題】
【０００５】
上述の特許文献１に示した照明装置のリニューアル方法では、ランプソケット及び安定器を器具本体から取り外す作業と、ＬＥＤユニット用の電源ユニットを器具本体に取り付ける作業とが必要であり、そのため置き換え作業に時間を要していた。
【０００６】
本発明は上記問題点に鑑みて為されており、照明器具をリニューアルする際の作業時間を短縮させた照明器具及び照明器具のリニューアル方法を提供することを目的とする。
【課題を解決するための手段】
【０００７】
本発明の照明器具のリニューアル方法は、外部からの電源ケーブルが接続される端子台と、前記端子台を介して入力される外部電力を第１光源の点灯電力に変換する第１電源部と、前記第１光源が電気的且つ機械的に接続され、前記第１電源部から出力される前記点灯電力を前記第１光源に供給するソケットと、少なくとも前記端子台、前記第１電源部及び前記ソケットが取り付けられる器具本体と、前記ソケットが通される貫通孔を有し、前記貫通孔に前記ソケットを通した状態で前記器具本体に取り付けられる反射板とを備えた照明器具において、前記第１光源とは異なる第２光源と、前記外部電力を前記第２光源の点灯電力に変換する第２電源部とを具備する光源ユニットに置き換えるための照明器具のリニューアル方法であって、前記ソケットから前記第１光源を取り外す工程と、前記端子台から前記電源ケーブルを取り外す工程と、前記端子台から取り外した前記電源ケーブルを前記光源ユニットに接続する工程とを有していることを特徴とする。
【０００８】
本発明の照明器具は、上記の照明器具のリニューアル方法によって前記第１光源が前記第２光源に置き換えられる照明器具であって、前記反射板に取り付けられた状態で前記光源ユニットを支持する支持部材を備えていることを特徴とする。
【発明の効果】
【０００９】
本発明に係る照明器具のリニューアル方法によれば、照明器具をリニューアルする際の作業時間を短縮させた照明器具のリニューアル方法を提供することができるという効果がある。
【００１０】
本発明に係る照明器具の構成によれば、上記の照明器具のリニューアル方法を用いることによって、照明器具をリニューアルする際の作業時間を短縮させた照明器具を提供することができるという効果がある。
【図面の簡単な説明】
【００１１】
【図１】本発明の実施形態１における照明器具の断面図である。
【図２】本発明の実施形態１における照明器具の分解斜視図である。
【図３】本発明の実施形態１における照明器具の全体斜視図である。
【図４】本発明の実施形態１における照明器具への電源ケーブルの接続構造を示す斜視図である。
【図５】図５Ａは本発明の実施形態１における照明器具の模式図、図５Ｂは本発明の実施形態１における照明器具に用いられる落下防止金具の概略図である。
【図６】本発明の実施形態１における照明器具の反射板に光源ユニットを取り付ける取付構造を示す斜視図である。
【図７】本発明の実施形態１における照明器具の反射板に光源ユニットを取り付ける取付構造を示す斜視図である。
【図８】本発明の実施形態１における照明器具の反射板に光源ユニットを取り付ける取付構造を示す斜視図である。
【図９】本発明の実施形態１における照明器具への電源ケーブルの接続構造を示す斜視図である。
【図１０】本発明の実施形態１における照明器具への電源ケーブルの接続構造を示す斜視図である。
【図１１】図１１Ａ〜図１１Ｄは本発明の実施形態２における照明器具の反射板に光源ユニットを取り付ける取付手順を説明する説明図である。
【図１２】図１２Ａ〜図１２Ｄは本発明の実施形態２における照明器具の反射板に光源ユニットを取り付ける取付手順を説明する説明図である。
【図１３】本発明の実施形態２における照明器具の反射板に光源ユニットを取り付ける取付構造を示す模式図である。
【図１４】図１４Ａは本発明の実施形態２における照明器具に用いられる第１支持金具の側面図、図１４Ｂは上面図である。
【図１５】図１５Ａは本発明の実施形態２における照明器具に用いられる第２支持金具の側面図、図１５Ｂは別の第２支持金具の側面図である。
【発明を実施するための形態】
【００１２】
本発明の実施形態における照明器具１０及び照明器具のリニューアル方法について、図面を参照しながら具体的に説明する。但し、以下に説明する構成は、本発明の一例に過ぎず、本発明は下記の実施形態に限定されることなく、これらの実施形態以外であっても、本発明に係る技術的思想を逸脱しない範囲であれば、設計等に応じて種々の変更が可能である。
【００１３】
なお、以下の説明では特に断りがない限り、図３において前後、左右、上下の各方向を規定するが、これらの方向は照明器具１０の取付方向を規定するものではない。また、本実施形態では、反射板２の長手方向を前後方向、反射板２の幅方向（短手方向）を左右方向、反射板２の高さ方向を上下方向と規定している。
【００１４】
（実施形態１）
本実施形態の照明器具１０は、図１に示すように、器具本体１と、反射板２と、一対のソケット３と、第１光源をなす蛍光ランプ（図示せず）と、電源ユニット６（第１電源部）と、端子台７とを備え、蛍光ランプから後述の光源ユニット４に置き換え可能である。
【００１５】
器具本体１は、図１及び図４に示すように、ベース１１と、一対のソケット台１２（図１及び図４では片方のソケット台１２のみ図示）とを備える。ベース１１は、板金に曲げ加工することにより形成され、前後方向（図１中の紙面に垂直な方向）に長い矩形板状に形成された底壁部１１１と、底壁部１１１の左右方向における両端から下向きに突出する一対の側壁部１１２とを有する。
【００１６】
ソケット台１２は、板金に曲げ加工することにより前後方向に長く且つ上面が開口するＵ字状に形成され、開口側を上向きにした状態でベース１１の長手方向における両端にそれぞれ取り付けられる。なお、ソケット台１２には、ソケット３を通すための矩形の貫通孔（図示せず）が設けられている。
【００１７】
反射板２は、図１〜図４に示すように、板金に曲げ加工することにより逆富士型に形成され、前後方向に長い矩形板状に形成された底壁部２１と、底壁部２１の左右方向における両端から斜め上向きに傾斜する一対の傾斜部２２，２２とを有する。底壁部２１の前後方向における両端には、ソケット３を通すための矩形の貫通孔２１１，２１１がそれぞれ設けられている。
【００１８】
また、底壁部２１における各貫通孔２１１の内側には、反射板２を器具本体１に取り付ける際に用いられるラッチ１３を通すための貫通孔２１３が設けられている。なお、反射板２を器具本体１に取り付けた状態では、各ソケット台１２に設けられた上記貫通孔と、反射板２の貫通孔２１１とが上下方向において重なっている。ここに、ラッチ１３は、反射板２を器具本体１に取り付けた状態において、長手方向が左右方向となるように９０度回転させた状態にある。
【００１９】
ソケット３は、蛍光ランプが接続される接続部３１を有し、ソケット台１２の上記貫通孔及び反射板２の貫通孔２１１を通して接続部３１を下方に露出させた状態で器具本体１（ソケット台１２）に取り付けられる。なお、ソケット３は従来周知の構成であり、詳細な説明については省略する。
【００２０】
端子台７は、外部からの電源ケーブル８（図４参照）が接続され、電源ケーブル８を介して供給される外部電力を電源ユニット６に出力する。この端子台７は、例えば取付ねじ（図示せず）などを用いてベース１１の底壁部１１１に取り付けられる。
【００２１】
電源ユニット６は、端子台７を介して入力される外部電力を蛍光ランプの点灯電力に変換する機能を有する。この電源ユニット６は、各ソケット３との間が電線（図示せず）により電気的に接続されており、生成した上記点灯電力を各ソケット３に出力する。この電源ユニット６は、例えば取付ねじなどを用いてベース１１の底壁部１１１に取り付けられる。
【００２２】
上述のように構成された照明器具１０では、蛍光ランプの両端にそれぞれ設けられた口金をソケット３，３の接続部３１，３１にそれぞれ接続することで、蛍光ランプがソケット３，３に電気的且つ機械的に接続される。そして、電源ユニット６で変換された上記点灯電力がソケット３，３を介して蛍光ランプに供給されると、蛍光ランプが点灯する。
【００２３】
ところで、上述の照明器具１０は、蛍光ランプを光源とする照明器具であるが、後述する支持部材５を用いることで光源ユニット４に置き換えることができる。光源ユニット４は、ユニット本体４１と、カバー４２と、エンドカバー４３と、基板４４と、電源ユニット４５（第２電源部）とを備える。
【００２４】
ユニット本体４１は、例えばアルミニウム合金からなる押し出し成型品であって、前後方向に長い角柱状に形成されている。ユニット本体４１の上壁部４１２における前寄りの位置には、電源ユニット４５を収納するための矩形の収納部４１２１が設けられている（図４参照）。また、ユニット本体４１の下壁部４１３における左右両側には、上向きに開口し且つ先端が外向きに開口するＬ字状の溝部４１３１，４１３１がそれぞれ全長に亘って設けられている（図１参照）。
【００２５】
さらに、ユニット本体４１の両側壁部４１１，４１１には、側壁部４１１の一部を三角状に切り欠くことで形成された差込部４１１１，４１１１が上下方向に沿って各２個ずつ設けられている。各差込部４１１１は、上側に行くほど内側に傾斜する傾斜面４１１１ａと、傾斜面４１１１ａの上端から外向きに延出する水平面４１１１ｂとを有している（図１参照）。
【００２６】
カバー４２は、例えばアクリル樹脂などの透光性材料からなり、上面が開口する半円弧状に形成された主部４２１と、主部４２１の開口端縁に一体に形成されたＵ字状の引掛部４２２，４２２とを有する。このカバー４２は、ユニット本体４１に対して前後方向（長手方向）からスライドさせることでユニット本体４１に取り付けられる。そして、カバー４２がユニット本体４１に取り付けられた状態では、引掛部４２２，４２２の先端側に設けられたＬ字状の部位がそれぞれ溝部４１３１，４１３１に差し込まれる（図１参照）。
【００２７】
エンドカバー４３は、カバー４２と同様にアクリル樹脂などの透光性材料からなり、カバー４２の主部４２１と同じ半円弧状に形成されている。このエンドカバー４３は、適宜の取付方法（例えば接着剤など）によってカバー４２の前後方向における両端部にそれぞれ取り付けられる。
【００２８】
基板４４は、前後方向に長い矩形板状に形成され、適宜の取付方法（例えばねじ止めなど）によってユニット本体４１の下壁部４１３に取り付けられる。基板４４の下面には、図２に示すように、複数のＬＥＤ（発光ダイオード）４４１が基板４４の長手方向に沿って実装されている。なお、ユニット本体４１は、上述のようにアルミニウム合金からなり、基板４４のＬＥＤ４４１で発生した熱を放熱する放熱部材としての機能も有している。ここに、本実施形態では、ＬＥＤ４４１により第２光源が構成されている。
【００２９】
電源ユニット４５は、外部からの電源ケーブル８を介して入力される外部電力をＬＥＤ４４１の点灯電力に変換する機能を有している。この電源ユニット４５は、基板４４との間が電線（図示せず）により電気的に接続されており、生成した上記点灯電力を基板４４に出力する。また、この電源ユニット４５は、図４に示すように、ユニット本体４１の上壁部４１２に設けられた収納部４１２１に収納される。
【００３０】
支持部材５は、例えば板金などの弾性材料からなり、図１〜図４に示すように、反射板２の底壁部２１に取り付けられる矩形板状の取付部５１と、取付部５１の左右方向における両端から下向きに突出する一対の支持部５２，５２とでＵ字状に形成されている。
【００３１】
各支持部５２の中央には、支持部５２の一部を切り起こすことで形成された矩形の引掛部５２１が設けられている。この引掛部５２１は、前後方向における両端部及び上端部が支持部５２から切り離され、且つ下端部において支持部５２に連結されており、上端部が下端部よりも内側となるように傾斜している。また、各支持部５２の先端（下端）には、支持部５２の一部を外向きに突出させた突部５２２が設けられている。なお、引掛部５２１は、上述の差込部４１１１の傾斜面４１１１ａと同じ方向に傾斜している。
【００３２】
次に、蛍光ランプから光源ユニット４に置き換える照明器具のリニューアル方法について具体的に説明する。
【００３３】
まず最初に、作業者は、蛍光ランプと両ソケット３，３との電気的且つ機械的な接続状態を解除し、蛍光ランプをソケット３，３から取り外す。その後、作業者は、ラッチ１３を解除位置（図２に示す位置）まで回転させて、反射板２を器具本体１から取り外す。さらに、作業者は、端子台７から電源ケーブル８を取り外す。以上の作業により、既設部品の取り外し作業が完了する。
【００３４】
続けて、作業者は、適宜の取付方法（例えばねじ止めなど）により支持部材５，５を反射板２の前後方向における両端寄りの位置にそれぞれ取り付ける。その後、作業者は、電源ユニット４５からの電源ケーブル４５１を反射板２の底壁部２１に設けた貫通孔２１２に通し、電源ケーブル８の各電線８１と電源ケーブル４５１の各電線４５１１との間を、例えば圧着スリーブ８２で電気的に接続する。なお、電線８１と電線４５１１の接続方法は圧着スリーブ８２に限らず、端子台（図示せず）などを用いてもよい。
【００３５】
そして最後に、各支持部材５の一対の支持部５２，５２間に光源ユニット４が差し込まれるようにして、作業者が光源ユニット４を反射板２に近づけると、光源ユニット４が両支持部材５，５に取り付けられ、光源ユニット４への置き換えが完了する（図３参照）。
【００３６】
このとき、各支持部材５の右側の支持部５２の引掛部５２１がユニット本体４１の右側の側壁部４１１の差込部４１１１に差し込まれ、引掛部５２１の先端が水平面４１１１ｂに接触する。またこのとき、各支持部材５の左側の支持部５２の引掛部５２１がユニット本体４１の左側の側壁部４１１の差込部４１１１に差し込まれ、引掛部５２１の先端が水平面４１１１ｂに接触する。
【００３７】
さらにこのとき、電源ユニット４５に接続された電源ケーブル４５１の各電線４５１１を、ユニット本体４１に設けられたＵ字状の切欠部４１１２を通して外部に引き出している。これにより、電線４５１１がユニット本体４１と反射板２の間に挟まって断線するのを防ぐことができる。
【００３８】
また、支持部材５の支持部５２，５２にそれぞれ設けられた突部５２２，５２２に指を引っ掛けて、支持部５２，５２を外側に拡げることで、引掛部５２１，５２１が差込部４１１１，４１１１からそれぞれ外れる。これにより、光源ユニット４を支持部材５から取り外すことができる。
【００３９】
而して、本実施形態の照明器具１０では、蛍光ランプに給電するための端子台７、電源ユニット６及びソケット３を器具本体１から取り外していない。そのため、従来例のように上記部品を取り外す作業が不要であることから、照明器具をリニューアルする際の作業時間を短縮することができる。また、本実施形態の照明器具１０のように、弾性材料からなる支持部材５を用いた場合には、支持部材５の支持部５２，５２間に光源ユニット４を差し込むだけでよく、取り付け作業が容易であるという利点もある。
【００４０】
さらに、本実施形態の照明器具１０のように、支持部材５の引掛部５２１が差し込まれるユニット本体４１の差込部４１１１を上下方向に沿って複数設けた場合には、差込部４１１１の高さに応じて光源ユニット４の高さを調節することができる。
【００４１】
ところで、本実施形態の照明器具１０は、一対の支持部材５，５により光源ユニット４を支持する構成であるため、光源ユニット４を取り外す際に光源ユニット４が落下しないように、落下防止金具９を用いるのが好ましい。図５Ｂは落下防止金具９の概略図であり、この落下防止金具９は、横長且つ矩形板状に形成された金具本体９１と、一端が金具本体９１の中心部に取り付けられたワイヤ９２とを有する。
【００４２】
そして、この落下防止金具９は、図５Ａに示すように、器具本体１のベース１１に設けられた貫通孔１１３に金具本体９１を通し、金具本体９１を貫通孔１１３の開口端縁に引っ掛けた後、ワイヤ９２の他端を光源ユニット４に取り付けることで組み付けられる。その結果、反射板２から光源ユニット４を取り外す際に、光源ユニット４が落下するのを抑えることができる。
【００４３】
図６は光源ユニット４を反射板２に取り付ける別の取付構造を示す斜視図である。支持部材５は、金属材料によりＨ型に形成された本体部５４を有し、本体部５４の下端部には、内向き（互いに近づく向き）に突出する一対の引掛部５４１，５４１が設けられている。本体部５４の上側の部位には、直方体状に形成された合成樹脂製の台座５５が取り付けられており、台座５５の上面には、Ｕ字状に形成されたヨーク５６１と板状に形成された永久磁石５６２とで構成されるマグネット部５６が取り付けられている。
【００４４】
この支持部材５は、マグネット部５６の磁力によって反射板２の底壁部２１に取り付けられ、マグネット部５６の磁力によって光源ユニット４を支持する。したがって、この場合、光源ユニット４が落下しないように、上述の落下防止金具９を取り付けるのが好ましい。
【００４５】
一方、光源ユニット４のユニット本体４１の各側壁部４１１には、上述の各引掛部５４１が差し込まれるＵ字状の差込部４１１４が上下方向に沿って各３個ずつ設けられている。そのため、引掛部５４１が差し込まれる差込部４１１４の位置を変えることで、光源ユニット４の高さを調節することができる。
【００４６】
これらの光源ユニット４及び支持部材５では、光源ユニット４に対して支持部材５を前後方向からスライドさせて支持部材５を光源ユニット４に取り付けた後、各支持部材５のマグネット部５６の磁力により光源ユニット４を反射板２に取り付けることになる。
【００４７】
図７は光源ユニット４を反射板２に取り付ける、さらに別の取付構造を示す斜視図である。支持部材５は、前後方向に長い直方体状に形成された金属製の本体部５７を有し、本体部５７の下端には、外向きに突出する一対の鍔部５７１，５７１が全長に亘って設けられている。
【００４８】
また、本体部５７の上面には、上述のマグネット部５６が取り付けられている。つまり、この支持部材５も、マグネット部５６の磁力によって反射板２の底壁部２１に取り付けられ、マグネット部５６の磁力によって光源ユニット４を支持する。そのため、この場合も、光源ユニット４が落下しないように、上述の落下防止金具９を取り付けるのが好ましい。
【００４９】
一方、光源ユニット４のユニット本体４１の各側壁部４１１には、上述の各鍔部５７１が差し込まれるＵ字状の差込部４１１５が上下方向に沿って各３個ずつ設けられている。但し、本例では、差込部４１１５が各側壁部４１１の内周面に設けられている。したがって、各支持部材５を光源ユニット４に取り付けた状態では、支持部材５の本体部５７の少なくとも一部が光源ユニット４のユニット本体４１の内部に収納される。これにより、反射板２に対する光源ユニット４の突出寸法を小さくすることができる。
【００５０】
また、この場合も、鍔部５７１が差し込まれる差込部４１１５の位置を変えることで、光源ユニット４の高さを調節することができる。
【００５１】
これらの光源ユニット４及び支持部材５では、光源ユニット４に対して支持部材５を前後方向からスライドさせて支持部材５を光源ユニット４に取り付けた後、各支持部材５のマグネット部５６の磁力により光源ユニット４を反射板２に取り付けることになる。
【００５２】
図８は光源ユニット４を反射板２に取り付ける、またさらに別の取付構造を示す斜視図である。支持部材５は、中央に貫通孔５１１を有する矩形板状の取付部５１と、取付部５１の左右方向における両端から下向きに突出する一対の支持部５２，５２とでＵ字状に形成されている。
【００５３】
一方（左側）の支持部５２には、前後方向から見た形状がＵ字状に形成された支持金具５３が回転自在に取り付けられている。また、他方（右側）の支持部５２には、支持部５２の一部を切り起こすことで形成された矩形の引掛部５２３が上下方向に沿って３個設けられている。
【００５４】
支持部材５は、取付部５１の貫通孔５１１に通したねじ１００により反射板２の底壁部２１に取り付けられる。そして、一対の支持部５２，５２間に光源ユニット４を差し込んだ後、支持金具５３を何れかの引掛部５２３に引っ掛けることで、光源ユニット４が支持部材５に取り付けられる。この場合も、支持金具５３が引っ掛けられる引掛部５２３の位置を変えることで、光源ユニット４の高さを調節することができる。
【００５５】
ところで、上述の実施形態では、電源ユニット４５からの電源ケーブル４５１を反射板２側に引き込み、圧着スリーブ８２を介して電源ケーブル８との間を接続したが、図９に示すように、光源ユニット４側に速結端子構造の端子台４６を設けてもよい。この場合、反射板２の底壁部２１に設けた貫通孔２１２に電源ケーブル８を通した後、電源ケーブル８の各電線８１を端子台４６に接続するだけで、光源ユニット４との間を電気的に接続することができる。
【００５６】
また、図１０に示すように、ユニット本体４１の側壁部４１１，４１１に切欠部４１１３，４１１３を設け、且つユニット本体４１の前壁部４１４に切欠部４１４１を設け、何れかの切欠部４１１３，４１４１から電源ケーブル４５１を引き出してもよい。この場合、使用しない切欠部４１１３，４１４１については、ブランクカバー４７により塞ぐのが好ましく、これにより光源ユニット４の意匠性を高めることができる。
【００５７】
なお、ユニット本体４１の各側壁部４１１に設けた差込部４１１１の個数は一例であって、差込部４１１１の個数は１個であってもよいし、３個以上であってもよい。差込部４１１１を３個以上設けた場合には、光源ユニット４の高さをより細かく設定することができる。
【００５８】
また、本実施形態では、反射板２の底壁部２１に新たに設けた貫通孔２１２に電源ユニット４５からの電源ケーブル４５１を通したが、例えばソケット３を取り外した場合にはソケット用の貫通孔２１１に電源ケーブル４５１を通してもよい。さらに、器具本体１と反射板２との間の隙間に電源ケーブル４５１を通してもよい。また、本実施形態とは逆に、外部からの電源ケーブル８を貫通孔２１１又は貫通孔２１２に通し、光源ユニット４側で電源ケーブル８と電源ケーブル４５１とを接続してもよい。
【００５９】
以上説明したように、本実施形態の照明器具のリニューアル方法は、器具本体１と、反射板２と、ソケット３と、電源ユニット６（第１電源部）と、端子台７とを備えた照明器具１０において、第１光源から光源ユニット４に置き換えるための方法である。端子台７は、外部からの電源ケーブル８が接続される。電源ユニット６は、端子台７を介して入力される外部電力を前記第１光源の点灯電力に変換する。ソケット３は、前記第１光源が電気的且つ機械的に接続され、電源ユニット６から出力される前記点灯電力を前記第１光源に供給する。器具本体１は、少なくとも端子台７、電源ユニット６及びソケット３が取り付けられる。反射板２は、ソケット３が通される貫通孔２１１を有し、貫通孔２１１にソケット３を通した状態で器具本体１に取り付けられる。光源ユニット４は、前記第１光源とは異なるＬＥＤ４４１（第２光源）と、前記外部電力をＬＥＤ４４１の点灯電力に変換する電源ユニット４５（第２電源部）とを具備する。照明器具のリニューアル方法は、ソケット３から前記第１光源を取り外す工程と、端子台７から電源ケーブル８を取り外す工程と、端子台７から取り外した電源ケーブル８を光源ユニット４に接続する工程とを有する。
【００６０】
本実施形態の照明器具１０は、上記の照明器具のリニューアル方法によって前記第１光源がＬＥＤ４４１に置き換えられる照明器具１０であって、反射板２に取り付けられた状態で光源ユニット４を支持する支持部材５を備えている。
【００６１】
また、本実施形態の照明器具１０のように、支持部材５は、弾性材料からなり、反射板２に取り付けられる矩形板状の取付部５１と、取付部５１の両端から取付部５１と交差する方向に突出する一対の支持部５２，５２とでＵ字状に形成されているのが好ましい。一対の支持部５２，５２の各々は、取付部５１に近づくほど互いの間隔が狭くなるように傾斜する引掛部５２１，５２１を有する。光源ユニット４は、一対の支持部５２，５２の各々と対向する一対の側壁部４１１，４１１を有する。一対の側壁部４１１，４１１の各々には、光源ユニット４を支持部材５に取り付けた状態で対向する支持部５２，５２に設けられた引掛部５２１，５２１が差し込まれる差込部４１１１，４１１１が、支持部５２の突出方向（上下方向）に沿って複数設けられている。各差込部４１１１は、対向する引掛部５２１の傾斜方向と同じ方向に傾斜する。
【００６２】
（実施形態２）
照明器具１０及び照明器具のリニューアル方法の実施形態２について、図１１〜図１５を参照しながら具体的に説明する。
【００６３】
本実施形態では、ソケット３を取り外した後の貫通孔２１１を利用して、支持部材１４を反射板２に取り付ける点で実施形態１と相違している。なお、実施形態１と同様の構成については同一の符号を付し、詳細な説明を省略する。
【００６４】
支持部材１４は、図１１Ａ〜図１１Ｄに示すように、配管部１４１と、第１締結部１４２と、第２締結部１４３とを備える。配管部１４１は、金属材料により上下方向における両端が開口する円筒状に形成され、配管部１４１の外周面には、複数のねじ山１４１１が上下方向（配管部１４１の軸方向）に沿って設けられている。
【００６５】
第１締結部１４２は、一対の蝶番１４２１，１４２１と、互いに径の異なる２つの保持板１４２２，１４２３とで構成される。各蝶番１４２１は、上下方向が伸縮方向となるように配置され、伸縮動作に応じて前後方向（図１１Ｂ中の左右方向）に拡がるようになっている。各蝶番１４２１の上端部には保持板１４２２が取り付けられ、各蝶番１４２１の下端部には保持板１４２３が取り付けられている。また、保持板１４２２は配管部１４１の上端部に固着され、各蝶番１４２１及び保持板１４２３が上下方向に移動可能である。
【００６６】
なお、保持板１４２３の外径寸法は、保持板１４２２の外径寸法よりも大きく、且つ反射板２の貫通孔２１１の開口寸法よりも大きく設定されている。また、蝶番１４２１の代わりにねじりばねを用いてもよい。
【００６７】
第２締結部１４３は、配管部１４１のねじ山１４１１と噛み合うねじ山（図示せず）が内周面に設けられた扁平な円筒状に形成され、第２締結部１４３の外周面には、Ｕ字状の溝部１４３１が全周に亘って設けられている。この第２締結部１４３は、配管部１４１に対して配管部１４１の軸方向（上下方向）に移動可能となっている。
【００６８】
一方、光源ユニット４は、図１１Ｄに示すように、ＬＥＤ（図示せず）が実装された基板４４と、光源ユニット４を支持部材１４に取り付けるための取付金具６１とを有する。基板４４は、外部からの電源ケーブル８に電気的に接続される電源ケーブル４８を有しており、この電源ケーブル４８の先端に設けられたコネクタ４８１を電源ケーブル８の先端に設けられたコネクタ８３に接続することで、外部電力が基板４４に供給される。
【００６９】
但し、この場合には、外部電力をＬＥＤの点灯電力に変換する電力変換部（図示せず）を基板４４に設ける必要であり、この電力変換部により第２電源部が構成される。
【００７０】
次に、蛍光ランプから光源ユニット４に置き換える照明器具のリニューアル方法について、図１１Ａ〜図１１Ｄを参照しながら具体的に説明する。なお、蛍光ランプ及び電源ケーブル８を取り外す作業については実施形態１と同様であり、ここでは説明を省略する。
【００７１】
まず最初に、作業者は、図１１Ａに示すように、反射板２の貫通孔２１１及びソケット台１２の貫通孔１２１に対して下側から支持部材１４を通す。このとき、第１締結部１４２の保持板１４２３が貫通孔２１１の開口端縁に下側から接触する。
【００７２】
その後、作業者は、図１１Ｂに示すように、配管部１４１に対して第２締結部１４３を上向きにねじ込んでいく。このとき、配管部１４１に対して第２締結部１４３がねじ込まれることで、第２締結部１４３に接触する保持板１４２３が上向きに押し上げられ、これにより各蝶番１４２１が前後方向に拡がる。その結果、各蝶番１４２１と保持板１４２３（第２締結部１４３）との間に反射板２及びソケット台１２が挟まれ、支持部材１４が反射板２に取り付けられる。
【００７３】
続けて、作業者は、図１１Ｃに示すように、配管部１４１の内部を通して電源ケーブル８を下向きに引き出し、光源ユニット４の基板４４から延びる電源ケーブル４８のコネクタ４８１と電源ケーブル８のコネクタ８３とを接続する。
【００７４】
そして最後に、作業者は、図１１Ｄに示すように、第２締結部１４３の溝部１４３１内に取付金具６１を差し込んで取付金具６１を支持部材１４に取り付けた後、取付金具６１に光源ユニット４をねじ固定することで、光源ユニット４が反射板２に取り付けられる。
【００７５】
次に、本実施形態の支持部材１４の別の例について、図１２Ａ〜図１２Ｄを参照しながら説明する。上述の図１１Ａ〜図１１Ｄで説明した支持部材１４は、一対の蝶番１４２１及び保持板１４２２，１４２３で第１締結部１４２を構成したが、本例では、楕円形状に形成された保持板により第１締結部１４２を構成している。
【００７６】
本例の支持部材１４は、配管部１４１と、第１締結部１４２と、第２締結部１４３とを備える。第１締結部１４２は、上側から見て楕円形状に形成された保持板からなり、保持板の長径は、ソケット台１２の貫通孔１２１及び反射板２の貫通孔２１１の開口寸法よりも大きく、保持板の短径は、貫通孔１２１，２１１の開口寸法よりも小さく設定されている。この第１締結部１４２は、配管部１４１の上端部に固着され、第２締結部１４３は、配管部１４１に対して配管部１４１の軸方向に移動自在となっている。
【００７７】
次に、蛍光ランプから光源ユニット４に置き換える照明器具のリニューアル方法について、図１２Ａ〜図１２Ｄを参照しながら具体的に説明する。なお、蛍光ランプ及び電源ケーブル８を取り外す作業については実施形態１と同様であり、ここでは説明を省略する。
【００７８】
まず最初に、作業者は、図１２Ａに示すように、反射板２の貫通孔２１１及びソケット台１２の貫通孔１２１に対して下側から支持部材１４を通す。このとき、第１締結部１４２の形状が楕円形状であることから、第１締結部１４２が貫通孔１２１，２１１を通るように、支持部材１４を斜めに傾けながら貫通孔１２１，２１１に通す。
【００７９】
その後、作業者は、図１１Ｂに示すように、第１締結部１４２の長径が前後方向となるように配管部１４１を回転させ、配管部１４１に対して第２締結部１４３を上向きにねじ込んでいく。その結果、第１締結部１４２と第２締結部１４３との間に反射板２及びソケット台１２が挟まれ、支持部材１４が反射板２に取り付けられる。
【００８０】
続けて、作業者は、図１２Ｃに示すように、配管部１４１の内部を通して電源ケーブル８を下向きに引き出し、光源ユニット４の基板４４から延びる電源ケーブル４８のコネクタ４８１と電源ケーブル８のコネクタ８３とを接続する。
【００８１】
そして最後に、作業者は、図１２Ｄに示すように、第２締結部１４３の溝部１４３１内に取付金具６１を差し込んで取付金具６１を支持部材１４に取り付けた後、取付金具６１に光源ユニット４をねじ固定することで、光源ユニット４が反射板２に取り付けられる。
【００８２】
図１３は、反射板２の貫通孔２１１，２１１を利用して光源ユニット４を取り付ける取付構造の別の例を示す模式図である。本例では、上述の支持部材１４の代わりに、第１支持金具４９及び第２支持金具５０を用いている。
【００８３】
第１支持金具４９は、板金に曲げ加工することで形成され、図１４Ａ及び図１４Ｂに示すように、上向きに突出する鉛直部４９１と、鉛直部４９１の上端から水平に突出する水平部４９２と、水平部４９２の先端から斜め上向きに突出する引掛部４９３とを有する。このように、第１支持金具４９に水平部４９２を設けることで、反射板２の貫通孔２１１に引っ掛けられる引掛部４９３を貫通孔２１１に誘いやすくなるという利点がある。
【００８４】
また、引掛部４９３の幅方向（左右方向）における両端には、先端に近づくほど幅寸法が小さくなるように傾斜するテーパがつけられている。これにより、第１支持金具４９を反射板２の貫通孔２１１に引っ掛ける際に、左右方向における貫通孔２１１の中心と引掛部４９３の中心とを合わせやすくなるという利点がある。
【００８５】
第２支持金具５０は、図１５Ａに示すように、上向きに突出するとともに先端が水平に突出するＬ字状の引掛部５０２を有し、ダイヤル５０１を回すことで引掛部５０２を前後方向に移動させることができる。
【００８６】
次に、第１支持金具４９及び第２支持金具５０を用いて光源ユニット４を反射板２に取り付ける手順について説明する。
【００８７】
まず最初に、作業者は、第１支持金具４９の引掛部４９３を反射板２の一方の貫通孔２１１に通し、引掛部４９３を貫通孔２１１の開口端縁に引っ掛ける。そして、作業者は、第２支持金具５０の引掛部５０２を反射板２の他方の貫通孔２１１に通した後、ダイヤル５０１を回して引掛部５０２を第１支持金具４９に近づく方向に移動させ、引掛部５０２を貫通孔２１１の開口端縁に引っ掛ける。以上の手順により、光源ユニット４を反射板２に取り付けることができる。
【００８８】
なお、第２支持金具５０は、図１５Ｂに示すように、ドライバ（図示せず）によりねじ５０３を回すことで引掛部５０２を前後方向に移動できるようになっていてもよい。
【００８９】
而して、本実施形態の照明器具１０では、蛍光ランプに給電するための端子台７、電源ユニット６及びソケット３を器具本体１から取り外していない。そのため、従来例のように上記部品を取り外す作業が不要であることから、照明器具をリニューアルする際の作業時間を短縮することができる。
【００９０】
また、ソケット３を通すための貫通孔２１１を利用して支持部材１４、又は第１支持金具４９、第２支持金具５０を取り付けることができるため、貫通孔を新たに設ける場合に比べて作業時間をさらに短縮することができる。
【００９１】
以上説明したように、本実施形態の照明器具１０では、支持部材１４は、配管部１４１と、第１締結部１４２と、第２締結部１４３とを備える。配管部１４１は、両端が開口する円筒状に形成されている。第１締結部１４２は、配管部１４１の軸方向における一端側に取り付けられる。第２締結部１４３は、配管部１４１の軸方向における他端側において配管部１４１の軸方向に沿って移動自在に配置される。支持部材１４は、反射板２の貫通孔２１１に配管部１４１を通した状態で第１締結部１４２と第２締結部１４３により反射板２を挟み込むことで反射板２に取り付けられる。光源ユニット４は、第２締結部１４３の外周面に形成された溝部１４３１に光源ユニット４の一部を差し込むことで支持部材１４に支持される。端子台７から取り外した電源ケーブル８は、配管部１４１の内部を通して光源ユニット４に接続される。
【符号の説明】
【００９２】
１  器具本体
２  反射板
３  ソケット
４  光源ユニット
６  電源ユニット（第１電源部）
７  端子台
８  電源ケーブル
１０  照明器具
４５  電源ユニット（第２電源部）
２１１  貫通孔
４４１  ＬＥＤ（第２光源）
【図１】
2015230806.tif 000003
【図２】
2015230806.tif 000004
【図３】
2015230806.tif 000005
【図４】
2015230806.tif 000006
【図５】
2015230806.tif 000007
【図６】
2015230806.tif 000008
【図７】
2015230806.tif 000009
【図８】
2015230806.tif 000010
【図９】
2015230806.tif 000011
【図１０】
2015230806.tif 000012
【図１１】
2015230806.tif 000013
【図１２】
2015230806.tif 000014
【図１３】
2015230806.tif 000015
【図１４】
2015230806.tif 000016
【図１５】
2015230806.tif 000017